(57)【要約】      （修正有）【課題】第１フロアマット及び第２フロアマットのいずれも固定可能であり、かつフロアカーペットへの取り付けを確実に行うことができるフロアマット固定具を提供すること。【解決手段】自動車フロアカーペットへ針４０によって固定するフロアカーペット固定手段と、前記第１フロアマットの一部を載置する載置面とを有する基部１０と、前記基部１０から延設されており、前記第１フロアマットを挿入することによって挟持固定可能な挿入空間を形成するように屈曲形成され、前記第２フロアマットを固定する第２フロアマット固定手段を上面に有する上方挟持部２０とで構成した。【選択図】図１
2011240859.tif 000002
【特許請求の範囲】
【請求項１】
自動車用フロアカーペット、前記自動車用フロアカーペットに載置される第１フロアマット及び前記第１フロアマットの上に載置される第２フロアマットを取り付けるフロアマット固定具であって、
屈曲した針部材又は螺子部材を挿入する挿入孔からなる前記自動車フロアカーペットへ固定するためのフロアカーペット固定手段を有する基部と、前記基部の上方に第１フロアマット挿入空間を形成するように連結部を介して配置される第１フロアマット挟持部と、前記第１フロアマット挟持部の上面に形成された第２フロアマット固定手段と、
を備えることを特徴とするフロアマット固定具。
【請求項２】
前記フロアカーペット固定手段は、前記基部の少なくとも挿入空間の側方及び前方に設けられた貫通孔と、
前記貫通孔側に起倒可能となるように、前記貫通孔の一部にヒンジ状に連結された起倒部材と、
前記起倒部材を倒した状態で底面になる側に取り付けられ、前記起倒部材が起きた状態では針先が下方を向き、倒した状態では針先が前方又は後方を向く屈曲した前記針部材と、を備え、
前記起倒部材は、起きた状態では前記第１フロアマット挿入空間へ前記第１フロアマットが完全に挿入されるのを防止する位置に存在することを特徴とする請求項１に記載のフロアマット固定具。
【請求項３】
前記基部と前記上方挟持部の少なくとも一方に、第１フロアマットを係止する断面が三角形の係止片を設けてあることを特徴とする請求項１又は２に記載のフロアマット固定具。
【請求項４】
前記第２フロアマット固定手段は、開口部を有する前記第２フロアマットを固定する手段であって、前記開口部を引っかけるフックであることを特徴とする請求項１から３のいずれか１項に記載のフロアマット固定具。
【請求項５】
前記第２フロアマット固定手段は、開口部を有する前記第２フロアマットを固定する手段であって、前記開口部を貫通する貫通部材と、前記貫通部材に固定される被固定部と、前記被固定部及び前記上方挟持部を連設する連設部材と、を備えていることを特徴とする請求項１から４のいずれか１項に記載のフロアマット固定具。
【請求項６】
前記第２フロアマット固定手段は、端部に肉厚部を備えた前記第２フロアマットを固定する手段であって、前記肉厚部を挟み込むように形成されてなる挟持部からなることを特徴とする請求項１から４のいずれか１項に記載のフロアマット固定具。
【発明の詳細な説明】
【技術分野】
【０００１】
本発明は、フロアカーペットと２枚のフロアマットとを固定する固定具に関する。
【背景技術】
【０００２】
自動車のフロアには、金属で作製されたボディに沿わせて自動車用フロアカーペットが敷設される。この自動車用フロアカーペットの表面が汚れるのを防止するために、運転席の足下、助手席の足下及び後部座席の足下に、それぞれ純正のフロアマットが敷設される。さらに、純正のフロアマットが汚れるのを防止するために、汎用のフロアマットが純正のフロアマットの上に敷設されることがある。純正のフロアマットは、ボディ又は自動車用フロアカーペットに固定する特別の手段が施されていることが多いが、汎用のフロアマットは固定部を有していない。そのため、別途、自動車用フロアカーペットへの固定手段が必要となる。
【０００３】
純正のフロアマットと汎用のフロアマットとを固定する方法として、純正のフロアマットを挟み込む挟込部と、汎用のフロアマットに形成されている穴部に係合させるクリップ部と、を有する係合金具によって、それぞれを固定する方法が開示されている（特許文献１参照）。
【０００４】
係る係合金具でも、純正のフロアマットと汎用のフロアマットとを固定することは可能である。しかし、自動車用フロアカーペットと汎用のフロアマットとを固定する手段を備えていない。そのため、純正のフロアマットがなにかの拍子で移動したり、フックから外れたりすると、純正のフロアマットに追随して汎用のフロアマットも自動車用フロアカーペットに対して移動するものであった。
【０００５】
一方、自動車用フロアカーペットと汎用のフロアマットとを固定する方法として、下面にカーペットのループに係合する面ファスナーを備え、第１のマット（純正のフロアマット）の下方に挿入される板状の基部と、この基部の端部から上方に突設された第１のマットの周縁部に当接する係合部と、この係合部の上部に第２のマット（汎用のフロアマット）を着脱自在に上下方向から挟んで保持するクリップ部と、を設けたマット用固定具がある（特許文献２参照）。
【０００６】
しかし、係るマット固定具は、以下の課題があった。第２のマットは、特に雨や雪の日に靴が濡れたり、泥が靴に付着したりするときに、純正のフロアマットが汚れるのを防止することを目的として敷設される場合が多い。そのため、織布、不織布のフロアマットに代えて、防水性を有するポリ塩化ビニル、合成ゴム、オレフィン系エラストマー等のエラストマー製のフロアマットが多く使用される。エラストマー製のフロアマットは、表面が滑りやすいため、挟持という手段では確実な固定が難しいという課題があった。
【０００７】
また、このマット用固定具は、純正のマットである第１のマットを固定する手段を有しておらず、第１のマットの移動を防止することができない。また、フロアカーペットとの固定は、面ファスナーを用いて固定するものであるため、ループパイルの表面を有するフロアカーペットであれば比較的接着性が高く効果的であるが、カットパイルの表面を有するフロアカーペットに対しては接着力が弱く、滑り止め効果を効率的に発揮することができなかった。また、純正のフロアマットは、ボディの形状に合わせて傾斜するぎりぎりの位置まで敷設するように設計されている。そのため、フロアカーペットに固定しようとすると傾斜している位置（メンバー付近等）に取り付けなければならない。しかし、傾斜している位置にマット用固定具を取り付けようとすると、フロアカーペットは凹面をなすので面ファスナーでは十分に固定することができないという課題があった。
【０００８】
さらに、フロアマットが移動する原因として、フロアマットがマット用固定具から外れることもあるが、マット用固定具自体が固定位置から外れることによる場合も多い。また、そもそもフロアカーペットにマット用固定具を取り付けるのが面倒であること及びフロアカーペットの表面が損傷すること等の理由から、そもそもマット用固定具をフロアカーペットに固定せずに使用する例も見受けられた。
【特許文献１】意匠登録第１３１９３８５号公報
【特許文献２】実用新案登録第３１４８６９６号公報
【発明の開示】
【発明が解決しようとする課題】
【０００９】
そこで、本発明は、こうした課題を鑑みてなされたものであり、第１フロアマット及び第２フロアマットのいずれも固定可能であり、かつフロアカーペットへの取付けを確実に行うことができるフロアマット固定具を提供することを主目的とする。
【課題を解決するための手段】
【００１０】
本発明は、上述の目的を達成するために、以下の手段を採った。
【００１１】
本発明にフロアマット固定具は、自動車用フロアカーペット、前記自動車用フロアカーペットに載置される第１フロアマット及び前記第１フロアマットの上に載置される第２フロアマットを取り付けるフロアマット固定具であって、
屈曲した針部材又は螺子部材を挿入する挿入孔からなる前記自動車フロアカーペットへ固定するためのフロアカーペット固定手段を有する基部と、前記基部の上方に第１フロアマット挿入空間を形成するように連結部を介して配置される第１フロアマット挟持部と、前記第１フロアマット挟持部の上面に形成された第２フロアマット固定手段と、を備えることを特徴とするものである。
【００１２】
本発明のフロアマット固定具は、フロアカーペット及び２枚のフロアマットを固定するものである。フロアカーペットへ固定するには、基部に設けられたビス、ネジ又はボルト等の螺子部材で固定するか、又は屈曲した針部材をフロアカーペットの層内に斜め又は水平に差し込むことによって固定する。そのため、フロアカーペットとの間に多少隙間があっても固定可能であり、傾斜面、平面を問わず、固定することができる。また、針部材で固定する場合は、カーペットに対して水平方向に針部材が配置され、カーペットを構成する繊維が針と絡み合うため、固定力もかなり強いものとなり、フロアカーペットとフロアマット固定具がずれることを防止することができる。
【００１３】
さらに、第１フロアマットは、基部と上方挟持部との間に差し込むだけで第１フロアマットを固定することができる。通常、第１フロアマットは純正のフロアマットであるので、あらかじめ設計された方法によって、フロアカーペット又はボディに固定する手段を備えている。この固定手段は、一般的に第１フロアマットに貫通穴が形成されており、フロアカーペット又はボディから突出するフックに引っかけて止めることが多い。従って、第１フロアマットをフロアカーペットから外すには、フックが外れやすい位置に第１フロアマットを水平移動した後に外す必要がある。しかし、ある拍子に第１フロアマットが水平移動して、フロアカーペットから外れてしまう場合がある。本発明のフロアマット固定具は、フックが外れにくい位置に第１フロアマットを固定することができるので、第１フロアマットがフロアカーペットから意図せず外れることを防止することができる。
【００１４】
さらに、本発明のフロアマット固定具は、第２フロアマットを固定する固定手段を備えている。従って、フロアカーペットと第２フロアマットとをフロアマット固定具を介して確実に固定することができ、結果として、本発明のフロアマット固定具によれば、フロアカーペット、第１フロアマット及び第２フロアマットのすべての位置関係を規制することができるという効果を有する。
【００１５】
さらに、本発明のフロアマット固定具において、前記フロアカーペット固定手段は、前記基部の少なくとも挿入空間の側方及び前方に設けられた貫通孔と、
前記貫通孔側に起倒可能となるように、前記貫通孔の一部にヒンジ状に連結された起倒部材と、
前記起倒部材を倒した状態で底面になる側に取り付けられ、起倒部材が起きた状態では針先が下方を向き、倒した状態では針先が前方又は後方を向く屈曲した前記針部材と、を備え、
前記起倒部材は、起きた状態では前記挿入空間へ前記第１フロアマットが完全に挿入されるのを防止する位置に存在してもよい。
【００１６】
係る構成を採用することで、起倒部材を倒してフロアマット固定具をフロアカーペットに固定した後でなければ、起倒部材が第１フロアマットの挿入を防止する位置にあるので、第１フロアマットを挿入空間に完全に挿入することができない。従って、フロアカーペットへフロアマット固定具を取り付けずに第１フロアマットを敷設することができないので、フロアマット固定具をフロアカーペットへ取り付けさせる契機となり、フロアマット固定具をフロアカーペットに固定せずに使用することを防止することができる。また、起倒部材が起きている場合、針部材はフロアカーペットに刺さっていないので、フロアマット固定具をフロアカーペットに接触させた状態で自由に位置を変更でき、容易に位置決めを行うことができる。位置決めが完了した状態で起倒部材を倒せば、針部材がフロアカーペットを引き上げつつフロアカーペット内に突き刺さり、強固に固定することができる。さらに、運転席や助手席の足下のフロア部の端部付近の傾斜面のように、取り付け面が凹面をなしている場合であっても、針の先端でフロアカーペットを引き上げるように固定するので、凹面でもフロアマット固定具を容易に固定することができる。
【００１７】
さらに、本発明のフロアマット固定具において、前記基部と前記上方挟持部の少なくとも一方に、第１フロアマットを係止する断面が三角形の係止片を設けてもよい。係る構成を採用することによって、第１フロアマットを挿入空間へ差し込めば、係止片により第１フロアマットが押圧されて堅固に第１フロアマットを固定することができる。また、係止片の頂点が尖っているので、第１フロアマットに頂点が食い込んで、より強固に固定することができる。
【００１８】
さらに、本発明のフロアマット固定具において、前記第２フロアマット固定手段は、開口部を有する前記第２フロアマットを固定する手段であって、前記開口部を引っかけるフックであってもよい。係る構成を採用することによって、第２フロアマットに形成された開口部にフックを引っかけるだけで、第２フロアマットをフロアマット固定手段に固定することができる。
【００１９】
さらに、本発明のフロアマット固定具において、前記第２フロアマット固定手段は、開口部を有する第２フロアマットを固定する手段であって、前記開口部を貫通する貫通部材と、前記貫通部材に固定される被固定部と、前記被固定部及び前記上方挟持部を連設する連設部材と、を備えていてもよい。係る構成を採用することによって、貫通部材、被固定部及び連設部材によって閉じた状態になるので、第２フロアマットが貫通部材から外れても、連設部材によって第２フロアマットが移動することを防止することができる。
【００２０】
さらに、本発明のフロアマット固定具において、前記固定手段は、端部に肉厚部を備えた第２フロアマットを固定する手段であって、前記肉厚部を挟み込むように形成されてなる挟持部からなるものであってもよい。係る構成を採用することによって、第２フロアマットは左右方向には移動可能であり、前後方向には移動しないものとすることができる。
【発明の効果】
【００２１】
本発明に係るフロアマット固定具によれば、第１フロアマット及び第２フロアマットのいずれも固定可能であり、かつフロアカーペットへの取り付けを確実に行うことができるフロアマット固定具を提供することができる。
【図面の簡単な説明】
【００２２】
【図１】第１実施形態に係るフロアマット固定具１００の構成の概略を示す斜視図である。
【図２】第１実施形態に係るフロアマット固定具１００をフロアカーペット９０、第１フロアマット９２及び第２フロアマット９４に取り付けた状態を示す断面図である。
【図３】第１実施形態に係るフロアマット固定具１００をフロアカーペットに取り付ける工程を示す断面図である。
【図４】第１実施形態に係るフロアマット固定具１００をフロアカーペットに取り付ける工程を示す断面図である。
【図５】第１実施形態に係るフロアマット固定具１００をフロアカーペットの傾斜部に取り付けた状態を示す断面図である。
【図６】第１実施形態に係るフロアマット固定具１００の変形例の構成の概略を示す斜視図である。
【図７】第２実施形態に係るフロアマット固定具１００の構成の概略を示す斜視図である。
【図８】第３実施形態に係るフロアマット固定具１００の構成の概略及びフロアカーペットを示す斜視図である。
【図９】第４実施形態に係るフロアマット固定具１００の構成の概略を示す斜視図である。
【図１０】実施形態に係るフロアマット固定具１００の係止片を設けていない変形例を示す斜視図である。
【発明を実施するための形態】
【００２３】
以下、本発明を実施するための形態について、図面に沿って詳細に説明する。なお、以下に説明する実施例及び図面は、本発明の実施形態の一部を例示するものであり、これらの構成に限定する目的に使用されるものではない。なお、各図において対応する構成要素には同一又は類似の符号が付されている。また、本明細書及び特許請求の範囲において、前方、後方、上方、下方、側方とは、図１に示された方向を指し、本明細書及び特許請求の範囲においても同様の用語は同様の方向を指す。
【００２４】
ここで、本発明を実施するための形態を説明するにあたり、実施形態の構成要素と本発明の構成要素との対応関係を明らかにする。本実施形態における底面板１０が基部に相当し、上面板２０が上方挟持部に相当し、針４０、針４１が針部材に相当し、可倒片５０、５１が起倒部材に相当し、針４０と可倒片５０及び針４１と可倒片５１がフロアカーペット固定手段に相当し、フック６０が第２フロアマット固定手段に相当する。
【００２５】
（第１実施形態）
図１は、第１実施形態に係るフロアマット固定具１００の構成の概略を示す斜視図である。図２は、第１実施形態に係るフロアマット固定具１００にフロアカーペット９０、第１フロアマット９２及び第２フロアマット９４を取り付けた状態を示す断面図である。まず始めに、理解容易のためフロアマット固定具が使用される状態を説明する。一般に、車内の足下は、図２に示すように、プレスによって作製された金属からなるボディ９６にこのボディの形状に適合するように成型されたフロアカーペット９０があらかじめ敷設されている。そして、このフロアカーペット９０の上面に、フロアカーペット９０が汚れるのを防止するために第１フロアマット９２として純正のフロアマットが敷設される。さらに、この第１フロアマット９２が汚れるのを防止するために、第２フロアマット９４として市販のフロアマットが敷設される。フロアマット固定具１００は、こうしたフロアカーペット及び２枚のフロアマットが敷設された状態に使用されるものである。
【００２６】
第１実施形態におけるフロアマット固定具１００は、図１に示すように、底面板１０と、この底面板１０の上方に配置され、一方が開放され第１フロアマット挿入空間１８を形成する上面板２０とを備えている。
【００２７】
底面板１０には、前方側下面から下方に延出した後、針先が後方に向くように屈曲した針４２が取り付けられている。底面板１０後方であって、第１フロアマット挿入空間１８の側方両側には、略矩形の貫通穴１１が設けられている。この貫通穴１１の稜線１５に一部ヒンジ状に連結され、可倒可能に形成された可倒片５０が取り付けられている。この可倒片５０を後方に倒すことによって貫通穴１１を塞ぐことができる。可倒片５０を倒した際に底面になる側（下方側）に、屈曲した針４０が取り付けられており、可倒片５０が起きた状態では針先が下方に向き、倒した状態では針先が前方に向くように取り付けられている（図３参照）。針４０と針４１の先端が取り付けた状態で反対方向を向くように設けることによって、フロアマット固定具１００が水平方向へ移動するのを効果的に防止することができる。
【００２８】
上面板２０は、底面板１０の上方に間隙を開けて配置されており、この間隙が第１フロアマット９２を挿入する第１フロアマット挿入空間１８を形成する。上面板２０は底面板１０に対して側方方向の幅が狭く形成されていて、先述した両側に配置された可倒片５０の内側に配置される。上面板２０の前方先端の位置は、上面板２０の後方に対して、やや下方となるように斜めに設置されている。すなわち、上面板２０と底面板１０との間隔は、先端側に行くほど短くなるように形成されている。上面板２０の前方先端と底面板１０との間隔は、第１フロアマット９２の厚さより狭く形成されており、第１フロアマット９２を挿入した際に先端で挟持することができる。上面板２０の下面には、第１フロアマット９２を挿入した際に、抜けづらくなるように断面三角形の係止片２１が２つ設けられている。なお、底面板１０の上面にもこの係止片２１に対応する位置に係止片１３が設けられている。断面三角形の形状は、第１フロアマット９２を挿入する側の辺１３ａと底面板１０の上面との角度αが、他方の辺１３ｂと底面板１０の上面との角度βよりも鋭角となるように形成するのが好ましい。このように係止片１３を形成することによって、第１フロアマット９２を挿入する際に容易に挿入することができるが、引き抜く場合に係止片１３の先端が引っかかって引き抜け難くすることができる。なお、係止片２１も同様に形成することが好ましい。
【００２９】
また、上面板２０の上面には、フック６０が設けられている。フック６０は、上面板２０の上面から円柱状に立設された立設部６１と、掛合部６２とからなる。掛合部６２は、フック６０から第２フロアマット９４が容易に外れることを防止するため、立設部６１の円周より大きく作成されており、後方側へ大きく延出した形状をなしている。
【００３０】
こうして作製されたフロアマット固定具１００は、以下のようにして使用される。まず、フロアマット固定具１００をフロアカーペット９０に固定する。フロアカーペット９０へフロアマット固定具１００を固定するには、図３ａに示すように、まず、フロアカーペット９０の所望の場所に針４２を差し込む。その後、図３ｂに示すように、可倒片５０を矢印の方向へ倒していく。可倒片５０を倒していくと、針４０がフロアカーペット９０内に突き刺しながら固定される。その後、図４ａに示すように、第１フロアマット９２を底面板１０と上面板２０との間隙で形成された第１フロアマット挿入空間１８に挿入する。そして、最後に開口部９５が形成されている第２フロアマット９４にフック６０を挿入する。こうして、フロアカーペット９０、第１フロアマット９２及び第２フロアマット９４は、フロアマット固定具１００を介して互いに固定される。このとき針４２と針４０は対向する方向を向くように設置される。これにより、針４０、４２が水平方向に抜けることを防止することができる。
【００３１】
第１実施形態おけるフロアマット固定具１００によれば、針４０、４２をフロアカーペット９０内部に略水平方向へ突き刺して固定するので、堅固に固定することができる。また、図５に示すように、ある程度傾斜している場所に取り付ける場合でも、針４０でフロアカーペット９０を引き上げつつ差し込むことができる上、可倒片５０を倒していけば、針４０、４２の動きによって自然にフロアカーペット９０を引き上げつつ針４０が刺し込まれるので、フロアマット固定具１００とフロアカーペット９０との間に多少隙間があったとしても、フロアカーペット９０を引き上げ、フロアカーペット９０をボディとの間に若干の空間を形成しつつ確実に固定することができる。また、固定前は、可倒片５０が第１フロアマット９２の挿入を妨害する位置に起きているので、フロアカーペット９０に固定しなければ第１フロアマット９２を完全に挿入することができない。そのため、フロアマット固定具１００をフロアカーペット９０へ固定することなく第１フロアマットを挿入することを防止することができる。
【００３２】
第１フロアマット９２は、第１フロアマット挿入空間１８に差し込むだけで、フロアマット固定具１００に固定することができる。第１フロアマット９２は、頻繁ではないものの、ごみを払ったり、洗浄のために外したりすることがある。そこで、外すのが困難になるほど堅固に固定することは防止すべきである。一方で第１フロアマット９２は一般に純正マットであるので、もともと車体にフック等で固定されている場合が多い。そのため、水平方向へずらさなければこのフックから第１フロアマット９２を外すことができないことが多い。第１実施形態におけるフロアマットによれば、第１フロアマット９２が水平方向へずれない程度に挟持することができるので、第１フロアマット９２が車体から外れるのを防止することができる。
【００３３】
さらに、第２フロアマット９４は、第２フロアマット９４に形成された開口部９５にフック６０を引っかけてあるので、水平方向にスライドするのを防止することができる。
【００３４】
こうして本実施形態におけるフロアマット固定具１００によれば、フロアカーペット９０、第１フロアマット９２、第２フロアマット９４をフロアマット固定具１００によっていずれも固定することができる。
【００３５】
上述した第１実施形態では、針４０が底面板１０に固定してあるが、これに限定されるものではなく、図６に示したように、底面板１０の前方にも可倒片５１を設け、これに針４１を取り付けてもよい。係る構成を採用することによって、針４１をフロアカーペット９０に突き刺し易くなる。また、第１フロアマットを挿入する挿入口を塞ぐように可倒片５１が配置されることになるため、可倒片５０及び可倒片５１の両方を倒さなければ第１フロアマット９２を挿入することができないので、フロアマット固定具１００をフロアカーペット９０に取り付けないという状況を防止することができる。
【００３６】
また、上述した第１実施形態では、第２フロアマット固定手段としてフック６０を採用しているが、フック形状はこれに限定されるものではなく、図６に示したように、平板を折り曲げた形状にしてもよい。この場合は、このフックの形状に適合した開口部が第２フロアマット９４に必要となる。
【００３７】
（第２実施形態）
図７は、第２実施形態に係るフロアマット固定具１００の構成の概略を示す斜視図である。第２実施形態に係るフロアマット固定具１００は、第２フロアマット固定手段の構成が異なるのみで、それ以外は、第１実施形態と同様であるので説明を省略する。第２実施形態のフロアマット固定具１００は、開口部を有する第２フロアマットを固定する手段として、第２フロアマット９４に形成された開口部を貫通する貫通部材７１と、貫通部材７１に固定される被固定部７２と、被固定部７２及び上面板２０を連設する連設部材７３とを備えている。貫通部材７１として、第２フロアマット９４より高い円筒を縦方向に３分割した部材を上面板２０の上面に形成してあり、円筒内部には鈎状フック７１ａが設けられている。被固定部７２は、円筒内部に挿入可能な略円柱で形成されており、周囲に鈎状フックに引っかけることができる凹部７２ａを有する。被固定部７２を貫通部材７１の円筒内部に挿入することで鈎状フック７１ａが凹部７２ａに引っかかり外れづらくなる。連設部材７３は、上面板２０の後方に連結された帯状の部材を使用し、その先端に被固定部７２が取り付けられている。係る構成を採用することによって、第２フロアマット９４に開口部が上方に外れたとしても連設部材７３で閉じているので、第２フロアマット９４が大きくずれることを防止することができる。
【００３８】
（第３実施形態）
図８は、第３実施形態に係るフロアマット固定具１００の構成の概略を示す斜視図である。第３実施形態に係るフロアマット固定具１００は、端部に肉厚部を有する第２フロアマットを取り付けるタイプのものである。先に第２フロアマット９４について説明する。第２フロアマット９４の端部には、円柱状の肉厚部９４ａが平板部９４ｂを介して連結されている。
【００３９】
第３実施形態に係るフロアマット固定具１００の第２フロアマット固定手段は、前述した円柱状の肉厚部９４ａとほぼ同様の内径を有する断面略Ｃ形の円筒６４に形成されている。係る円筒６４に肉厚部９４ａを矢印に示すように、側方から挿入することによって、第２フロアマット９４を固定することができる。
【００４０】
第３実施形態によれば、第２フロアマット９４が前後方向には移動しないように固定できる一方で、側方方向には移動可能に固定することができる。
【００４１】
（第４実施形態）
図９は、第４実施形態に係るフロアマット固定具１００の構成の概略を示す斜視図である。第４実施形態に係るフロアマット固定具１００は、図６に示したフロアマット固定具１００に対し、フロアカーペット固定手段の構成が異なるのみで、それ以外は、同様であるので説明を省略する。第４実施形態のフロアマット固定具１００は、フロアカーペット９０に固定する手段として、底面板１０にネジ、ビス８０等を挿入可能な挿入孔１９は設けてある。この挿入孔１９にネジ、ビス８０を通して、フロアカーペット９０に螺合することによって、フロアマット固定具１００を固定する。ネジ、ビス等の螺子部材には螺旋状の溝が切られているので、ネジ、ビス等を締め付けることによって、フロアカーペット９０に深く埋没し、強固な固定力を有する。また、締め付けることによって、フロアカーペットを引きつける方向に働くので、底面板１０との間に隙間が発生することを未然に防止することができ、傾斜部であっても確実に固定することができる。なお、フックの形状に矩形のタイプを使用しているが、フック形状は、第１実施形態から第３実施形態のタイプのものに変更することができる
【００４２】
なお、上記実施形態においては、係止片１３及び係止片２１をすべて設けているが、図１０に示すように、係止片１３及び係止片２１を設けることなく、上面板２０の先端で第１フロアマット９２を挟持するようにしてもよい。
【産業上の利用可能性】
【００４３】
上述した実施形態で示すように、自動車用のフロアカーペットの上に配置される自動車用フロアマットを固定する固定具として産業上利用可能である。
【符号の説明】
【００４４】
１０…底面板、１１…貫通穴、１３…係止片、１３ａ…辺、１３ｂ…辺、１５…稜線、１８…第１フロアマット挿入空間、１９…挿入孔、２０…上面板、２１…係止片、４０…針、４１…針、４２…針、５０…可倒片、５１…可倒片、６０…フック、６１…立設部、６２…掛合部、６４…円筒、７１…貫通部材、７１ａ…鈎状フック、７２…被固定部、７２ａ…凹部、７３…連設部材、８０…ビス、９０…フロアカーペット、９２…第１フロアマット、９４…第２フロアマット、９４ａ…肉厚部、９４ｂ…平板部、９５…開口部、９６…ボディ、１００…フロアマット固定。
【図１】
2011240859.tif 000003
【図２】
2011240859.tif 000004
【図３】
2011240859.tif 000005
【図４】
2011240859.tif 000006
【図５】
2011240859.tif 000007
【図６】
2011240859.tif 000008
【図７】
2011240859.tif 000009
【図８】
2011240859.tif 000010
【図９】
2011240859.tif 000011
【図１０】
2011240859.tif 000012